(57)【要約】【課題】  ストップ機構付ドアクローザを備えた開き戸において、意に反して扉が開放状態で保持されるのを防止する。【解決手段】  ストップ機構付ドアクローザを備えた開き戸の戸当り７に、扉開放防止装置１を取付ける。扉４がストップ基準位置Ｓを超えて開位置側へ回動されると、扉開放防止装置１の尖端部９が弾性変形し、一旦ドアクローザのストップ機能が作動して、扉４が開位置で保持される。その後、扉開放防止装置１の弾性力によって、扉４がストップ基準位置Ｓを超えて閉位置側へ押し戻され、ストップ機能が解除されて、扉４が閉位置へ戻る。これにより、扉４が意に反して開放位置で保持されるのを防止して、空調の効率低下を防止する。扉開放防止装置１を非作動位置に回転させて、扉４に円筒部８を当接させることにより、ストップ機能の作動を維持して、扉４を開位置で保持することができる。【選択図】        図１
2005098019.tif 000002
【特許請求の範囲】
【請求項１】
通常は、扉を閉位置へ付勢し、前記扉が所定のストップ基準位置を超えて開位置側へ回動したとき、その位置を保持するストップ機能付ドアクローザを備えた開き戸に装着されて、前記扉の開位置側への回動を制御する扉開放防止装置であって、前記扉に当接して、該扉のストップ基準位置から開位置側への回動を規制する作動位置と、前記ストップ基準位置から開位置側への回動を許容する非作動位置とを選択的に切換可能であることを特徴とする扉開放防止装置。
【請求項２】
前記作動位置にある場合において、前記扉が前記ストップ基準位置を超えて開位置側へ回動されたとき、弾性変形して、その弾性力によって前記扉を前記ストップ基準位置を超えて閉位置側へ回動させることを特徴とする請求項１に記載の扉開放防止装置。
【請求項３】
前記扉の開位置を規制する戸当りに取付けられることを特徴とする請求項１又は２に記載の扉開放防止装置。
【発明の詳細な説明】
【技術分野】
【０００１】
本発明は、ストップ機能付ドアクローザを備えた開き戸に装着される扉開放防止装置に関するものである。
【背景技術】
【０００２】
住宅、店舗、事務所等の出入口の開き戸には、ストップ機能付ドアクローザが設けられたものがある。ストップ機能付ドアクローザは、通常は、開かれた扉をスプリング及び油圧等を利用して、閉位置へ付勢することにより、開放を防止し、また、一定角度を超えて開かれた場合には、ストップ機能によって、扉を開位置で保持して、荷物の搬入、搬出等を容易ならしめることができる。一般的に、開き戸は、床面に立設された戸当りによって、開放位置が規制されており、扉を戸当りに当接するまで開くと、ドアクローザのストップ機能が作動して、扉が解放位置で保持される。ストップ機能によって解放位置で保持された扉は、閉じ方向に一定角度だけ移動させることにより、ストップ機能が解除されて、閉位置に戻すことができる。
【０００３】
例えば、特許文献１には、ストップ機構付ドアクローザに関する先行技術が開示されており、また、特許文献２には、戸当りに関する先行技術が開示されている。
【特許文献１】特公平２−４５７４９号公報
【特許文献２】実開平３−１１７８４号公報
【発明の開示】
【発明が解決しようとする課題】
【０００４】
しかしながら、上記従来のストップ機能付ドアクローザが設けられた開き戸においては、次のようの問題がある。ストップ機能は、荷物の搬入、搬出の際には非常に便利な機能であるが、特定の状況において、意に反して扉が開放状態で保持されてしまう場合がある。例えば、扉を開けたとき、後続者又は対向者があると、こられの者のために、扉を開放状態で押さえることが行われるが、このとき、扉の開度が一定範囲を超えてストップ機能が作動してしまうことがある。特に、対向者がある場合、すれ違い時に通路幅を確保するため、扉の開度が大きくなりやすく、意に反してストップ機能が作動することが多い。この場合、扉を開いたものが、ストップ機能の作動に気づかず、後続者又は対向者は、自ら扉を開いた意識が希薄になりがちであるため、扉を閉じる意識が働かないことが多い。このようにして、意に反してストップ機能が作動し、扉が開放位置で保持されると、空調の効率が低下し、室内の快適性が損なわれるばかりでなく、省エネルギーに反することにもなる。
【０００５】
本発明は、上記の点に鑑みて成されたものであり、ドアクローザのストップ機能の作動を制御して、扉が意に反して開放状態で保持されるのを防止することができる扉開放防止装置を提供することを目的とする。
【課題を解決するための手段】
【０００６】
上記の課題を解決するために、請求項１に係る発明は、通常は、扉を閉位置へ付勢し、前記扉が所定のストップ基準位置を超えて開位置側へ回動したとき、その位置を保持するストップ機能付ドアクローザを備えた開き戸に装着されて、前記扉の開位置側への回動を制御する扉開放防止装置であって、前記扉に当接して、該扉のストップ基準位置から開位置側への回動を規制する作動位置と、前記ストップ基準位置から開位置側への回動を許容する非作動位置とを選択的に切換可能であることを特徴とする。
請求項２の発明に係る扉開放防止装置は、上記請求項１の構成において、前記作動位置にある場合において、前記扉が前記ストップ基準位置を超えて開位置側へ回動されたとき、弾性変形して、その弾性力によって前記扉を前記ストップ基準位置を超えて閉位置側へ回動させることを特徴とする。
また、請求項３の発明に係る扉開放防止装置は、上記請求項１又は２の構成において、前記扉の開位置を規制する戸当りに取付けられることを特徴とする。
【発明の効果】
【０００７】
このように構成したことにより、扉開放防止装置が作動位置にある場合には、ドアクローザのストップ機能が作動して扉が開いたままで保持されることがないので、空調の効率低下を防止して、室内の快適性を維持すると共に、省エネルギーを達成することができる。また、扉開放防止装置を非作動位置に切換えることによって、必要に応じてドアクローザのストップ機構を作動させることができ、扉を開いた状態で保持することができる。
【発明を実施するための最良の形態】
【０００８】
以下、本発明の一実施形態を図面に基づいて詳細に説明する。
図５に示すように、本実施形態に係る扉開放防止装置１は、ストップ機能付ドアクローザ２を備えた開き戸３に装着されるものである。開き戸３は、その扉４が、ヒンジ５を回動軸として図５（Ａ）に示す閉位置から図５（Ｂ）に示す開位置までの範囲（約９０°）を回動可能であり、床面６に立設された円柱状の戸当り７によって、回動範囲が制限されている。
【０００９】
ストップ機能付ドアクローザ２は、スプリング及び油圧等によって、扉４を閉位置へ付勢して、扉４の開放を防止すると共に、扉４の回動に減衰力を作用させて、その開閉速度を適度に減速するようになっている。また、図５（Ｂ）に示すように、扉４がストップ基準位置Ｓを超えて開位置側へ回動されたとき、扉４の付勢を停止して開放状態を保持するストップ機能を備えている。扉４がストップ基準位置Ｓを超えて閉位置側へ回動されると、ストップ機能の作動が解除されて、扉４が閉位置へ移動する。ストップ機能付ドアクローザ２としては、このような機能を有する公知のものを使用することができる。
【００１０】
図２及び図３に示すように、扉開放防止装置１は、円筒状の円筒部８の側壁の一側を接線方向に延ばして尖端部９を形成した形状であり、尖端部９には、その先端から円筒部８の中心へ向って延びるスリット１０が形成されている。扉開放防止装置１は、適度な弾性を有しており、円筒部８の開口１１を既存の戸当り７に嵌合、圧入して、戸当り７に固定することができ、圧入後、回動させて、尖端部９が扉４に当接可能な作動位置（図１（Ａ）参照）と円筒部８が扉４に当接可能な非作動位置（図４参照）とを選択的に切換可能となっている。
【００１１】
図１を参照して、扉開放防止装置１は、作動位置にある場合、扉４がストップ基準位置Ｓを超えて開位置側へ回動されると、尖端部９が扉４に当接し、スリット１０が拡開しながら弾性変形し（図１（Ｂ）参照）、これにより、ストップ機能付ドアクローザ２のストップ機能が作動し、一旦、扉４がその位置で保持され、その後、扉開放防止装置１の弾性力がストップ機能付ドアクローザ２の保持力に打勝って、扉４をストップ基準位置Ｓを超えるまで徐々に閉位置側へ押し戻すようになっている（図１（Ａ）参照）。また、図４及び図６に示すように、非作動位置にある場合、扉４がストップ基準位置Ｓを超えて開位置側へ回動するのを許容して、円筒部８が扉４に当接するようになっている。
【００１２】
以上のように構成した本実施形態の作用について次に説明する。
図３に示すように、扉開放防止装置１は、戸当り７に圧入され、通常は、図５（Ａ）に示すように、尖端部９が扉４に当接する作動位置に向けられる。この状態では、図５（Ｂ）に示すように、扉４が大きく開かれてストップ基準位置Ｓを超えると、扉開放防止装置１の尖端部９に当接し、尖端部９が弾性変形し、ストップ機能付ドアクローザ２のストップ機能が作動することにより、扉４が一旦開放状態で保持される。その後、図５（Ｃ）に示すように、扉開放防止装置１の弾性力により、扉４がストップ機能付ドアクローザ２の保持力に抗して徐々に閉位置側へ押し戻され、ストップ基準位置Ｓを超える。これにより、図５（Ｄ）に示すように、ストップ機能付ドアクローザ２のストップ機能が解除されて、扉４が閉位置に戻る。
【００１３】
このようにして、扉４を確実に閉位置に戻して開放を防止することができるので、空調の効率低下を防止し、室内の快適性を維持すると共に、省エネルギーを達成することができる。このとき、扉４が扉開放防止装置１を弾性変形させて、ストップ基準位置Ｓを超えて開位置側へ回動すると、ストップ機能付ドアクローザ２のストップ機能が一時的に作動して、扉４が一旦開放常態で保持された後、ストップ機能が解除されて閉じ位置へ戻るので、後続者及び対向者の通路を充分に確保することができ、円滑な通行が可能となる。
【００１４】
また、図４及び図６に示すように、扉開放防止装置１は、非作動位置とすることにより、通常の戸当りとして作用し、扉４がストップ基準位置Ｓを超えて開位置側へ移動した状態を維持することができ、扉４を開放状態で保持することができる。これにより、荷物の搬入、搬出等を円滑に行うことが可能となる。
扉開放防止装置１は、既存の戸当り７に簡単に取付けることができるので、既存の設備を有効に利用することができ、コストがかからない。
【００１５】
なお、扉開放防止装置１の材質は、上述の機能が得られるように適度な弾性を有するものとし、例えば、シリコン、ネオプレン等のラバー、あるいは、ウレタン、スチレン等の発砲樹脂を用いることができる。また、低反発性ゴム、ウレタン等を用いてもよい。また、扉開放防止装置１の形状は、図示のものに限らず、上述の機能が得られるものであれば、他の形状とすることもできる。さらに、扉開放防止装置１の作動状態において、扉４を一時的に開位置で保持する必要がない場合には、作動位置としたとき、弾性変形することなく、扉４のストップ基準位置Ｓを超える開位置側への移動を完全に阻止するものであってもよい。
【図面の簡単な説明】
【００１６】
【図１】本発明の一実施形態に係る扉開放防止装置の弾性変形前後の状態を示す平面図である。
【図２】本発明の一実施形態に係る扉開放防止装置の平面図である。
【図３】本発明の一実施形態に係る扉開放防止装置の縦断面図である。
【図４】本発明の一実施形態に係る扉開放防止装置が非作動位置にある状態を示す平面図である。
【図５】本発明の一実施形態に係る扉開放防止装置の作動を順次説明する開き戸の平面図である。
【図６】本発明の一実施形態に係る扉開放防止装置を非作動位置として、ドアクローザのストップ機能によって扉が開放位置で保持された状態を示す開き戸の平面図である。
【符号の説明】
【００１７】
１  扉開放防止装置、２  ストップ機能付ドアクローザ、３  開き戸、４  扉、７  戸当り、Ｓ  ストップ基準位置
【図１】
2005098019.tif 000003
【図２】
2005098019.tif 000004
【図３】
2005098019.tif 000005
【図４】
2005098019.tif 000006
【図５】
2005098019.tif 000007
【図６】
2005098019.tif 000008